(57)【特許請求の範囲】
【請求項１】
ハシゴ部の上部に天板を取付け、この天板の底面に支持脚を取付けた三脚脚立において、前記支持脚を上部支持脚と下部支持脚に分割し、天板の底面に上部支持脚を接続すると共に、この下部にベアリングを介して支持ブラケットを水平方向に回転自在に取付け、この支持ブラケットの底面に下部支持脚を取付けたことを特徴とする三脚脚立。
【請求項２】
天板をパイプで形成し、このパイプを軸として別のパイプを回転自在に取付け、ここに上部支持脚を接続したことを特徴とする請求項１記載の三脚脚立。
【請求項３】
支持ブラケットの上面に、ハンドルを天板より上方に突設したことを特徴とする請求項１記載の三脚脚立。
【発明の詳細な説明】
【０００１】
【発明の属する技術分野】
本発明は安定性を高めた三脚脚立に関するものである。
【０００２】
【従来の技術】
一般に造園や果樹栽培作業に使用されている従来の三脚脚立は、図５に示すようにハシゴ部１の上部に天板２を取付け、この天板２の底面に、前後方向に開閉自在に支持脚３を取付けた構造をなしている。この三脚脚立を使用して例えば枝の剪定作業をする場合、支持脚３を前方に開いて地面４に設置し、ハシゴ部１の左右支柱１ａ、１ｂと支持脚３の３点で支持する構造となっている。
【０００３】
しかしながら従来の三脚脚立は支持脚３が前後に開閉するだけなので、日本庭園のように起伏や置石のある地面では、３点を確保するのが難しく安定して自立させることができないことがあり、踏桟５に乗って作業する上で危険であった。
【０００４】
【発明が解決しようとする課題】
本発明は上記問題点を改善し、起伏や置石のある地面でも３点の確保を容易にして安定して自立させて作業の安全性を高めた三脚脚立を提供するものである。
【０００５】
【課題を解決するための手段】
本発明の請求項１記載の三脚脚立は、ハシゴ部の上部に天板を取付け、この天板の底面に支持脚を取付けた三脚脚立において、前記支持脚を上部支持脚と下部支持脚に分割し、天板の底面に上部支持脚を接続すると共に、この下部にベアリングを介して支持ブラケットを水平方向に回転自在に取付け、この支持ブラケットの底面に下部支持脚を取付けたことを特徴とするものである。
【０００６】
また本発明の請求項２記載の三脚脚立は、天板をパイプで形成し、このパイプを軸として別のパイプを回転自在に取付け、ここに上部支持脚を接続したことを特徴とするものである。
【０００７】
更に本発明の請求項３記載の三脚脚立は、支持ブラケットの上面に、ハンドルを天板より上方に突設したことを特徴とするものである。
【０００８】
【発明の実施の形態】
以下本発明の実施の一形態を図１ないし図３を参照して詳細に説明する。本発明の三脚脚立は、ハシゴ部１の上部に天板２を取付け、この天板２の底面に支持脚３が取付けられている。前記ハシゴ部１はパイプ７で形成した左右支柱１ａ、１ｂの背面側に補助フレーム６ａ、６ｂが取付けられ、この間に縦方向に沿って間隔をおいてパイプ７で形成された複数の踏桟５…が取付けられている。また左右支柱１ａ、１ｂと補助フレーム６ａ、６ｂの上部にはパイプ７でスノコ状に形成された天板２が取付けられている。
【０００９】
またパイプ７でスノコ状に形成された天板２の横幅方向の中間底面には支持脚３が取付けられている。この支持脚３は上部支持脚３ａと下部支持脚３ｂに分割され、この間に支持ブラケット８が設けられている。また図２に示すように天板２を形成するパイプ７の外枠を軸として、この外側に別のパイプ７ａが回転自在に取付けられ、このパイプ７ａの中間に、上端を扁平に潰した上部支持脚３ａの上端が接続されて、上部支持脚３ａが前後方向に開閉するようになっている。また上部支持脚３ａの下部には、支持軸９を下方に向けて突設したフランジ１０が接合されている。
【００１０】
また支持ブラケット８は上面に軸貫通孔１１が開孔され、この底面側にリング１２が接合されている。前記支持軸９は軸貫通孔１１を貫通して、リング１２の内側に設けたベアリング１３に支持され、支持ブラケット８が水平に回転するようになっている。
【００１１】
また支持ブラケット８の端部側底面には前記下部支持脚３ｂの上端が接続されていると共に、上面側にはハンドル１５が突設されている。このハンドル１５は、その上端が天板２の上方に位置するように長く形成されている。なお図１において１６は踏桟５と下部支持脚３ｂとの間に取付けられた開き止めのチェーンである。
【００１２】
上記構成の三脚脚立は、図１に示すように支持脚３が天板２のパイプ７を軸として前後方向に開閉できると共に、図３に示すように支持ブラケット８に取付けた下部支持脚３ｂを手に持って回転させることにより、支持軸９を回転中心として左右方向に自由に回転させることができる。このため本発明の三脚脚立を使用して例えば庭木の剪定作業をする場合、起伏や置石のある地面４でも、下部支持脚３ｂを前後左右に回転させることにより、安定した３点の確保が容易となる。
【００１３】
また上部支持脚３ａは天板２の底面中間に接続されているので、下部支持脚３ｂが回転しても荷重を支える位置が変わらず、作業者が三脚脚立に乗った状態でも安定して自立することができる。このため作業者が踏桟５や天板２の上に乗っても安全に作業を行なうことができる。
【００１４】
また支持ブラケット８にはハンドル１５が突設されているので、三脚脚立の踏桟５や天板２の上に乗ったままで、バランスを取りながらハシゴ部１側に体重を移して支持脚３を浮かせた状態で、ハンドル１５を手に持って回転させることにより、下部支持脚３ｂを水平方向に回転させることができ、脚立に乗りながらでも安定した３点を確保することができる。
【００１５】
図４は本発明の他の実施の形態を示すもので、上部パイプ１７ａと下部パイプ１７ｂを組合せて下部支持脚３ｂを伸縮自在に形成したものである。前記上部パイプ１７ａの下部には補強リング２０が溶接され、ここに横方向にピン挿通孔１８が開孔され、また下部支持脚３ｂには所定の間隔で複数個のピン挿通孔１８が開孔されている。上部パイプ１７ａ内に挿着されている下部パイプ１７ｂの突出長さを調整して、上部パイプ１７ａのピン挿通孔１８と下部パイプ１７ｂの任意のピン挿通孔１８を合わせて、ここにピン１９を挿着して固定することにより下部支持脚３ｂの長さを調整できるようにしたものである。これは下部支持脚３ｂの回転と長さ調整の２つの機能を持っているので、地面４の起伏の激しい場所でも安定して自立させることができる。
【００１６】
なお上記説明では天板２に上部支持脚３ａを前後方向に開閉できる構造について示したが、天板２の底面に固定した構造でも良い。また天板２はパイプ７でスノコ状に形成したものに限らず板材で形成したものでも良い。またハシゴ部１の上部に予めチェーンの一端を接続した構造でも良い。これは三脚脚立を木に立てかけた状態で、チェーンの先端を枝に絡ませることにより三脚脚立を木に連結できるので、更に安全性を向上させることができる。
【００１７】
【発明の効果】
以上説明した如く本発明に係る請求項１記載の三脚脚立によれば、支持脚を上部支持脚と下部支持脚に分割し、天板の底面に上部支持脚を接続すると共に、この下部にベアリングを介して支持ブラケットを水平方向に回転自在に取付け、この支持ブラケットの底面に下部支持脚を取付けたので、下部支持脚を左右方向に自由に回転させることができる。このため起伏や置石のある地面でも、安定した３点の確保が容易となり、安定して自立させて作業の安全性を高めることができる。
【００１８】
また請求項２記載の三脚脚立によれば、支持脚を前後左右に回転自在に取付けることにより、前後左右の位置調整が容易となり、更に作業の安全性を高めることができる。
【００１９】
更に請求項３記載の三脚脚立によれば、支持ブラケットの上面に、ハンドルを天板より上方に突設させたので、ハンドルを手に持って下部支持脚を回転させることができ、脚立に乗りながらでも安定した３点を確保することができる。
【図面の簡単な説明】
【図１】本発明の実施の一形態による三脚脚立の斜視図である。
【図２】図１の支持脚の回転構造を示す断面図である。
【図３】図１の下部支持脚の回転範囲を説明する三脚脚立の平面図である。
【図４】本発明の異なる他の実施の形態による下部支持脚の伸縮構造を示す断面図である。
【図５】従来の三脚脚立を示す斜視図である。
【符号の説明】
１ ハシゴ部
１ａ 左支柱
２ 天板
３ 支持脚
３ａ 上部支持脚
３ｂ 下部支持脚
４ 地面
５ 踏桟
６ａ 補助フレーム
７ パイプ
７ａ パイプ
８ 支持ブラケット
９ 支持軸
１０ フランジ
１１ 軸貫通孔
１２ 円筒リング
１３ ベアリング
１５ ハンドル
１６ チェーン
１７ａ上部パイプ
１８ ピン挿通孔
１９ ピン
２０ 補強リング
【図１】
0004289577.tif 000002
【図２】
0004289577.tif 000003
【図３】
0004289577.tif 000004
【図４】
0004289577.tif 000005
【図５】
0004289577.tif 000006